(57)【要約】【課題】  走行機体の後部に水田作業装置を昇降自在に連結した水田作業機において、後輪によって後方に向けて上下広く飛散された泥が水田作業装置の各部に付着堆積することを防止するとともに、水田作業装置の点検整備や清掃を容易に行えるようにする。【解決手段】  水田作業装置６の前方に、走行機体３の後輪２によって後方に飛散された泥を受け止める泥除けカバー５５を、水田作業装置下部から後輪軸心の上方相当個所に亘って配備し、この泥除けカバー５５を、水田作業装置６の前方を覆う泥除け作用姿勢と水田作業装置６の前方を開放する開放姿勢とに切換え可能に構成してある。【選択図】        図３
2008079513.tif 000002
【特許請求の範囲】
【請求項１】
走行機体の後部に水田作業装置を昇降自在に連結した水田作業機において、
前記水田作業装置の前方に、走行機体の後輪によって後方に飛散された泥を受け止める泥除けカバーを、水田作業装置下部から後輪軸心の上方相当個所に亘って配備し、この泥除けカバーを、水田作業装置の前方を覆う泥除け作用姿勢と水田作業装置の前方を開放する開放姿勢とに切換え可能に構成してあることを特徴とする水田作業機。
【請求項２】
前記泥除けカバーに前方下方に向かう泥落し案内面を備えてある請求項１記載の水田作業機。
【請求項３】
前記泥除けカバーの下端を、前記水田作業装置に備えられた整地フロートの前端近くに位置させてある請求項１または２記載の水田作業機。
【請求項４】
前記泥除けカバーの水田作業装置がわに向かう背面にリブ状の突出部を設けてある請求項１〜３のいずれか一項に記載の水田作業機。
【発明の詳細な説明】
【技術分野】
【０００１】
本発明は、走行機体の後部に苗植付け装置、水田直播装置、水田除草装置、などの水田作業装置を昇降自在に連結した水田作業機に関する。
【背景技術】
【０００２】
代表的な水田作業機である田植機においては、水田内での走行中に後輪によって後方に飛散された泥が苗植付け装置に付着堆積することが多い。そこで、例えば、特許文献１に示されているように、後輪の直後方に位置する整地フロートの前部上方に泥除けカバーを配備して、整地フロートに泥が付着堆積することを防止し、整地フロートが付着堆積した泥の重量で不当に沈下して田面の泥押しが多くなることを回避するよう構成したものが知られている。
【特許文献１】特開平８−３０８３３４号公報
【発明の開示】
【発明が解決しようとする課題】
【０００３】
上記構造では後輪の直後方に位置する整地フロートへの泥の付着堆積を防止することはできるが、土質および走行速度によっては泥が泥除けカバーを越えて上方にまで広く飛散して、苗植付け装置における機体前方に臨む各部に付着することがあり、摺動部に泥が付着して磨耗が早められたり、作動抵抗が大きくなって駆動負荷が増大しやすくなるものであった。また、苗植付け装置の細部にまで泥が付着することで、植付け作業後の洗浄に多大な労力と時間を要するものであった。
【０００４】
本発明は、このような点に着目してなされたものであって、後輪によって後方に向けて上下広く飛散された泥が水田作業装置の各部に付着堆積することを防止するとともに、水田作業装置の点検整備や清掃を容易に行えるようにすることを目的としている。
【課題を解決するための手段】
【０００５】
第１の発明は、走行機体の後部に水田作業装置を昇降自在に連結した水田作業機において、
前記水田作業装置の前方に、走行機体の後輪によって後方に飛散された泥を受け止める泥除けカバーを、水田作業装置下部から後輪軸心の上方相当個所に亘って配備し、この泥除けカバーを、水田作業装置の前方を覆う泥除け作用姿勢と水田作業装置の前方を開放する開放姿勢とに切換え可能に構成してあることを特徴とする。
【０００６】
上記構成によると、水田作業装置の前方を泥除けカバーで広く覆うことで、後輪によって上下に広く飛散された泥が水田作業装置の前面露出部位に付着堆積することを阻止することができ、この泥除けカバーを開放姿勢とに切換えることで水田作業装置の前方を大きく露出させることができる。
【０００７】
従って、第１の発明によると、後輪によって後方に向けて上下広く飛散された泥が水田作業装置に付着堆積することを確実に防止することができ、摺動部に泥が付着して磨耗が早められたり、作動抵抗が大きくなって駆動負荷が増大するようなことを未然に回避することができる。水田作業装置の細部にまで泥が付着することがなくなり、作業後の洗浄も容易となる。
泥除けカバーを開放姿勢に切換えることができるので、水田作業装置の前方を大きく露出させて、整備点検や清掃を容易に行うことができる。
【０００８】
第２の発明は、上記第１の発明において、
前記泥除けカバーに前方下方に向かう泥落し案内面を備えてあるものである。
【０００９】
上記構成によると、泥落し案内面を後輪からの泥を受けやすい箇所に形成することで、泥除けカバーへの泥の付着を効果的に防止することができ、泥除けカバーへの泥の付着体積によって水田作業装置の重量が大きくなって水田作業装置の沈下が大きくなったり、上昇作動速度が低下するような不具合を未然に回避することができる。
【００１０】
第３の発明は、上記第１または第２の発明において、
前記泥除けカバーの下端を、前記水田作業装置に備えられた整地フロートの前端近くに位置させてあるものである。
【００１１】
上記構成によると、後輪で跳ね上げられた泥が整地フロートに付着堆積することが、泥除けカバーにより防止され、整地フロートが付着堆積した泥の重量で沈下して泥押しが増加するような不具合を回避することができる。
【００１２】
第４の発明は、上記第１〜３のいずれか一つの発明において、
前記泥除けカバーの水田作業装置がわに向かう背面にリブ状の突出部を設けてあるものである。
【００１３】
上記構成によると、大きい面積の泥除けカバーにリブ状の突出部を形成することで、大きい面積で薄い泥除けカバーの剛性を高めることができるとともに、付着物が滞留しやすい突出部を泥除けカバーの背面に形成することで、泥除けカバーの前面で受け止めた泥が落下しやすいものとなる。
【発明を実施するための最良の形態】
【００１４】
図１に、本発明に係る水田作業機の一例としての田植機が示されている。この田植機は６条植え仕様に構成されたものであって、前輪１および後輪２を備えて四輪駆動式に構成された走行機体３の後部に、油圧シリンダ４で駆動される平行四連リンク構造の昇降リンク機構５が装備され、この昇降リンク機構５の後端下部に苗植付け装置６が前後向き支点ｐ周りにローリング自在に連結支持されるとともに、走行機体３の後部に施肥装置７が搭載された構造となっている。
【００１５】
前記苗植付け装置６は、６条分のマット状苗を載置して一定ストロークで往復横移動される苗のせ台８、この苗のせ台８の下端から１株分づつ苗を切り出して田面Ｔに植え付けてゆく６組の回転式の植付け機構９、田面Ｔの植付け箇所を均平化するよう並列配備された３個の整地フロート１０、次行程の走行基準線を田面Ｔに形成する左右一対のマーカ１１、等が備えられている。
【００１６】
苗植付け装置６における前側下部にはアルミ材を押し出し成型してなる左右に長い角筒状の植付けフレーム１２が装備され、この植付けフレーム１２が前記昇降リンク機構５の後端下部にフィードケース１３を介してローリング自在に連結されている。植付けフレーム１２の左右中央付近に、走行機体３からの動力を受けるフィードケース１３が連結されるとともに、植付けフレーム１２の後面の左右４箇所に植付けケース１４が後向き片持ち状に連結され、各植付けケース１４の後端部に貫通横架された植付け駆動軸１５の左右両端に前記植付け機構９が装着されている。
【００１７】
植付け機構９には、前記植付け駆動軸１５の端部に連結固定されて植付け駆動軸１５と一体回転する回転ケース１６と、この回転ケース１６における両端部の横外側に横軸心回りに自転可能に軸支された爪ケース１７とが備えられており、各爪ケース１７に植付け爪１８と苗押し出し具１９が装備されている。
【００１８】
回転ケース１６が植付け駆動軸１５によって前進回転方向（図１において反時計方向）に定速で１回転されるのに連動して、爪ケース１７が回転ケース１６に内装された不等速ギヤ伝動機構（図示せず）によって逆方向に不等速で１回転自転され、これによって、植付け爪１８が、苗のせ台８の下端の苗取出し口と田面Ｔとに亘る縦長の先端回動軌跡Ｓを描いて循環移動するようになっている。植付け爪１８が苗のせ台８の下端から切り出し保持した苗を田面Ｔに持ち込む時点で、苗押し出し具１９が爪先側に突出作動して保持した苗を植付け爪１８から分離して地中に押込むように構成されている。
【００１９】
図３，図４に示すように、植付けケース１４の上方箇所には苗のせ台８の下端部を左右スライド自在に受け止め支持する摺動レール２１が横架されている。この摺動レール２１は、ガイドロッド２２を介して苗のせ台８の傾斜方向に変位可能に支持されており、摺動レール２１を位置調節して苗のせ台８を先端回動軌跡Ｓに対して上下移動させることで、植付け爪１８による苗取出し量を変更調節することが可能となっている。摺動レール２１の位置調節には、支点ａ周りに揺動操作される苗取り量調節レバー２３が用いられ、揺動調節した苗取り量調節レバー２３を植付けフレーム１２に備えたレバーガイド２４のノッチ２５に係止することで、摺動レール２１を任意の調節位置に固定保持するよう構成されている。
【００２０】
植付けケース１４の前部下方にはフロート支点軸２６が横水平に配備され、このフロート支点軸２６から後方に向けて突設された３組のフロート支持アーム２７の後端に、整
地フロート１０が支点ｂ周りにそれぞれ上下揺動可能に連結支持されている。フロート支点軸２６と一体に支点ｃ周りに揺動自在なフロート支持アーム２７は、フロート支点軸２６から前方上方に延出された植付け深さ調節レバー２８によって揺動操作されるようになっており、フロート支持アーム２７を上方に移動させることで植付け爪１８の先端回動軌跡Ｓが田面Ｔに対して下がって植付け深さが深くなり、フロート支持アーム２７を下方に移動させること前記先端回動軌跡Ｓが田面Ｔに対して上がって植付け深さが浅くなる。植付け深さ調節レバー２８は前記レバーガイド２４のノッチ２９に係止して任意の調節位置に固定保持することができる。
【００２１】
前記フィードケース１３には走行機体３から取り出された作業用動力が伸縮伝動軸３０を介して伝達され、このフィードケース１３に伝達された動力で苗のせ台８が横送り駆動されるとともに、そのストロークエンドごとに苗のせ台８に備えた苗送りベルト３１が一定ピッチづつ送り駆動される。フィードケース１３から取り出された横軸動力が各植付けケース１４の前部に入力されるようになっている。
【００２２】
植付けフレーム１２の左右からは支柱３２が立設され、その支柱３２に亘って架設固定された横フレーム３３に複数のガイドローラ３４が備えられ、これらガイドローラ３４が苗のせ台８の上部背面に横架連結された案内フレーム３５に係合され、前倒れ姿勢に維持された苗のせ台８の上部が左右移動可能、上下移動可能に受け止め支持されている。
【００２３】
前記昇降リンク機構５の後端上方には、ローリング駆動装置４０が設けられている。このローリング駆動装置４０から左右横外方に導出された操作ワイヤ４１と前記横フレーム３３の左右箇所とに亘って緩衝バネ４２が架設され、電動モータ４３によって左右の操作ワイヤ４１を背反的に出し入れ操作することで、苗植付け装置６の全体が前後向き支点ｐ周りに駆動揺動されるようになっている。ローリング駆動装置４０は、苗植付け装置６の左右傾斜を検知する図示されていない傾斜センサに連係されており、走行機体３が耕盤の起伏や凹凸によって左右傾斜して苗植付け装置６が追従傾斜すると、これが傾斜センサで検知されて電動モータ４３が作動制御され、苗植付け装置６が左右水平姿勢まで復帰制御されるようになっている。ローリング駆動装置４０と苗植付け装置６との間には緩衝バネ４２が架設されおり、ローリング駆動装置４０が作動休止状態でも苗植付け装置６は緩衝バネ４２を変形させながら自由ローリング作動することが可能であり、走行機体３が多少左右傾斜しても苗植付け装置６は田面Ｔに接地追従する。
【００２４】
昇降リンク機構５の後端上部と苗のせ台背部の案内フレーム３５の左右箇所に亘ってバランスバネ３６が張設されている。苗のせ台８が横移動すると、その移動方向と反対側のバランスバネ３６が伸ばされて、バネ張力によるローリング力が苗植付け装置６に付加され、苗のせ台８の横移動による重量バランスの変化で苗植付け装置６が傾斜することが自動的に防止されるようになっている。
【００２５】
マーカ１１は、起伏揺動可能に植付けフレーム１２の左右端部に装着されており、横外方に張出した作用姿勢と起立された格納姿勢とに切換え揺動可能に支持されるとともに、電動モータ４４の正逆作動によって前記両姿勢の切換えがなされるように構成されている。
【００２６】
前記施肥装置７の主部は、走行機体３の後部に配備された運転座席２０と前記苗植付け装置６との間において走行機体３に搭載されており、粉粒状の肥料を貯留する肥料ホッパ４６、この肥料ホッパ４６内の肥料を繰り出す回転式の繰出し機構４７、繰り出された肥料を供給ホース４８を介して苗植付け装置６の各整地フロート１０に備えた作溝器４９に風力搬送する電動ブロワ５０、電動ブロワ５０からの搬送風を２条単位で並列配備された３個の繰出し機構４７に分配供給する送風ダクト５１、などを備えている。
【００２７】
上記のように構成された苗植付け装置６の前部には、後輪２から後方に跳ね上げられた泥を受け止める左右一対の泥除けカバー５５が装着されている。この泥除けカバー５５は樹脂材をブロー成形して板状に形成されており、図５に示すように、上端部の左右箇所が前記横フレーム３３にブラケット５２を介して横向き支点ｆ周りに上下揺動可能に枢支連結されるとともに、図６に示すように、泥除けカバー５５の下部の左右箇所が、植付けフレーム１２に取付けられた連結部材５４にボルト５３を介して脱着可能に連結されている。
【００２８】
各泥除けカバー５５は、後輪２に後方から対向して左右の整地フロート（サイドフロート）１０の前端近傍から後輪軸心ｘより上方の高位置に亘って上下に長く、かつ、左右の整地フロート１０に前方から重複する幅広に形成されて、全体が前倒れ傾斜姿勢で取り付けられている。この泥除けカバー５５の上下中間部位が全幅に亘って前向きに膨出するよう湾曲形成されており、この湾曲膨出部５５ａの後方にマーカ１１を起伏駆動する電動モータ４４が配置されている。湾曲膨出部５５ａの下半部が、泥除けカバー５５全体の前倒れ傾斜角度よりきつい角度で前方下方に向けて傾斜する泥落し案内面Ｇとなっており、後輪２から跳ね飛ばされる泥の多くを急傾斜の泥落し案内面Ｇで受け止めて速やかに自重落下させ、泥除けカバー５５に泥が多量に付着堆積することが防止されるようになっている。
【００２９】
整地フロート（サイドフロート）１０が支点ｂ周りに上下揺動しても、整地フロート（サイドフロート）１０の前端が、泥除けカバー５５の下部に干渉しないように、設定されている。整地フロート１０が最も下方に位置調節された最浅植え状態においても、泥除けカバー５５の下端がその後方に位置する整地フロート（サイドフロート）１０の上端と略同高さ、好ましくは整地フロート１０の上端より低い位置に位置するよう構成され、泥除けカバー５５の下端と整地フロート１０との間から泥が後方に飛散することが防止されている。
【００３０】
このように構成された泥除けカバー５５は、図３中の仮想線で示すように、下端部の連結を解除して前方上方に大きく振り上げ開放することができ、苗植付け装置６を前方から容易に点検整備および清掃することができる。なお、振り上げ揺動させた泥除けカバー５５を、支え棒やガススプリングなどの支持部材（図示せず）を用いて開放姿勢に保持できるようにしておくとよい。
【００３１】
〔他の実施例〕
（１）簡易には、泥除けカバー５５の上部を横フレーム３３に係止爪や係止ピンなどを用いて引っ掛け係止するとともに、泥除けカバー５５の下部を植付けフレーム１２やその他の固定部材に、ノブ付きボルトやクランプ装置を用いて脱着可能に連結して、泥除けカバー５５を苗植付け装置６の前方から取り外した開放姿勢にすることもできる。
【００３２】
（２）図７に示すように、泥除けカバー５５の苗植付け装置６側に向かう背面に縦長リブ状の突出部５５ｂを一体形成して、泥除けカバー５５の全体の強度を高めることもできる。この場合、突出部５５ｂを背面に形成することで、前方から飛散してくる泥が突出部５５ｂへ付着して堆積することを防止することができる。
【図面の簡単な説明】
【００３３】
【図１】田植機の全体側面図
【図２】苗植付け装置の前方正面図
【図３】泥除けカバー開閉作動を示す側面図
【図４】整地フロートおよび苗のせ台下端部の支持構造を示す側面図
【図５】泥除けカバーの上部取り付け構造を示す縦断側面図
【図６】泥除けカバーの下部取り付け構造を示す縦断側面図
【図７】別実施例の泥除けカバーを示す横断平面図
【符号の説明】
【００３４】
２            後輪
３            走行機体
６            水田作業装置（苗植付け装置）
１０          整地フロート
５５          泥除けカバー
５５ｂ        突出部
Ｇ            泥落し案内面
ｘ            後輪軸心
【図１】
2008079513.tif 000003
【図２】
2008079513.tif 000004
【図３】
2008079513.tif 000005
【図４】
2008079513.tif 000006
【図５】
2008079513.tif 000007
【図６】
2008079513.tif 000008
【図７】
2008079513.tif 000009